(57)【要約】  ＭＩＭＯチャネルにおけるＣＱＩフィードバック量を削減する無線受信装置及びフィードバック方法を提供する。チャネル推定部（１０３）は、受信したパイロット信号を用いて、各送受信アンテナ間のＲＢ毎のチャネル行列を推定し、推定したチャネル行列を固有値分解して固有値と固有ベクトルを求める。フィードバック情報生成部（１０４）は、固有値毎に送信するべき平均ＣＱＩの量子化ビット数及び各ＲＢにおけるＣＱＩの量子化ビット数を対応付け、固有値番号ｋが大きいほど平均ＣＱＩの量子化ビット数Ｘｋを減少させるフィードバックビットテーブルを備えている。フィードバック情報生成部（１０４）は、チャネル推定部（１０３）が求めた固有値をＲＢ毎に平均し、平均した固有値を固有値番号毎にＣＱＩに変換し、フィードバックビットテーブルに従った量子化ビット数で固有値毎のＣＱＩからフィードバック情報を生成する。
2009110240.tif 000002
【特許請求の範囲】
【請求項１】
複数のアンテナから送信された信号を複数のアンテナを介して受信する受信手段と、
受信した前記信号のうち、パイロット信号を用いて送信アンテナ及び受信アンテナ間のチャネル行列を推定し、推定したチャネル行列を固有値分解して固有値を求めるチャネル推定手段と、
前記固有値を固有値番号毎にＣＱＩに変換し、各ストリームにおける平均ＣＱＩの量子化ビット数、フィードバックする上位ＣＱＩ数、上位ＣＱＩの量子化ビット数のいずれかを固有値番号に応じた数で削減して、ＣＱＩのフィードバック情報を生成するフィードバック情報生成手段と、
前記フィードバック情報を送信する送信手段と、
を具備する無線受信装置。
【請求項２】
前記フィードバック情報生成手段は、固有値番号が大きいほど、平均ＣＱＩの量子化ビット数をより多く削減して、ＣＱＩのフィードバック情報を生成する請求項１に記載の無線受信装置。
【請求項３】
前記フィードバック情報生成手段は、固有値番号が小さいほど、フィードバックする上位ＣＱＩ数をより多く削減して、ＣＱＩのフィードバック情報を生成する請求項１に記載の無線受信装置。
【請求項４】
前記フィードバック情報生成手段は、固有値番号が大きいほど、上位ＣＱＩの量子化ビット数をより多く削減して、ＣＱＩのフィードバック情報を生成する請求項１に記載の無線受信装置。
【請求項５】
複数のアンテナから送信された信号を複数のアンテナを介して受信する受信手段と、
受信した前記信号のうち、パイロット信号を用いて送信アンテナ及び受信アンテナ間のチャネル行列を推定し、推定したチャネル行列を固有値分解して固有値を求めるチャネル推定手段と、
前記固有値を固有値番号毎にＤＣＴ変換し、各ストリームにおけるＤＣ成分の量子化ビット数、ＤＣ成分以外の周波数成分数、ＤＣ成分以外の周波数成分の量子化ビット数のいずれかを固有値番号に応じた数で削減して、ＣＱＩのフィードバック情報を生成するフィードバック情報生成手段と、
前記フィードバック情報を送信する送信手段と、
を具備する無線受信装置。
【請求項６】
前記フィードバック情報生成手段は、固有値番号が大きいほど、ＤＣ成分の量子化ビット数をより多く削減して、ＣＱＩのフィードバック情報を生成する請求項５に記載の無線受信装置。
【請求項７】
前記フィードバック情報生成手段は、固有値番号が小さいほど、ＤＣ成分以外の周波数成分数をより多く削減して、ＣＱＩのフィードバック情報を生成する請求項５に記載の無線受信装置。
【請求項８】
前記フィードバック情報生成手段は、固有値番号が大きいほど、ＤＣ成分以外の周波数成分の量子化ビット数をより多く削減して、ＣＱＩのフィードバック情報を生成する請求項５に記載の無線受信装置。
【請求項９】
前記フィードバック情報生成手段は、周波数成分が高いほど、周波数成分の量子化ビット数をより多く削減して、ＣＱＩのフィードバック情報を生成する請求項５に記載の無線受信装置。
【請求項１０】
前記フィードバック情報生成手段は、固有値番号が小さいほど、ＤＣ成分以外で最も低い周波数成分の量子化ビット数の減少幅を大きくして、ＣＱＩのフィードバック情報を生成する請求項９に記載の無線受信装置。
【請求項１１】
複数の送信アンテナ及び複数の受信アンテナ間のチャネル行列を推定し、推定したチャネル行列を固有値分解して固有値を求めるチャネル推定工程と、
前記固有値を固有値番号毎にＣＱＩに変換し、各ストリームにおける平均ＣＱＩの量子化ビット数、フィードバックする上位ＣＱＩ数、ＣＱＩの量子化ビット数のいずれかを固有値番号に応じた数で削減して、ＣＱＩのフィードバック情報を生成するフィードバック情報生成工程と、
前記フィードバック情報を送信する送信工程と、
を具備するフィードバック方法。
【発明の詳細な説明】
【技術分野】
【０００１】
本発明は、無線受信装置及びフィードバック方法に関する。
【背景技術】
【０００２】
ＭＩＭＯ（Multiple-Input Multiple-Output）は、送信装置及び受信装置の双方がそれぞれ複数のアンテナを備え、高速かつ大容量な情報伝送を行う技術である。具体的には、複数のデータを同じ時間に同じ周波数を用いて伝送することができるので、高い伝送速度を実現することができる。【０００３】
このＭＩＭＯ伝送方式には、固有モード送信と呼ばれる伝送方式が知られている。固有モード送信では、送受信装置間の伝搬路情報をチャネル推定により求め、求めた伝搬路情報（伝搬チャネル行列Ｈ）の相関行列ＨＨＨを固有値分解して、固有値Λと固有ベクトルＷを求める。この様子を式（１）に示す。そして、ＷＨＨを送信ウェイト、ＷＨを受信ウェイトとして利用することにより、固有値数分の並列伝送が可能になる。固有モード送信の概念図を図１に示す。
【数１】
2009110240.tif 000003
【０００４】
ここで、λｋは第ｋ固有値であり、λ１＞λ２＞λ３＞λ４という関係がある。第ｋストリームｓｋには送信ウェイトｗｋが割り当てられ、第ｋ固有値λｋのチャネルを使って送信する。そのため、固有値番号（ストリーム番号）ｋが小さいほど、高品質伝送を実現することができる。【０００５】
ところで、３ＧＰＰ（3rd Generation Partnership Project） ＬＴＥ（Long Term Evolution）の下りリンクにおけるセルスループットを改善する技術として、周波数スケジューリング（マルチユーザスケジューリング）がある。各端末はＲＢ（Resource Block）毎のＳＩＮＲ（Signal to Interference and Noise Ratio）に基づいて決定されるＣＱＩ（Channel Quality Indicator）を基地局にフィードバックし、基地局はこれらのＣＱＩを使って各端末に通信リソースを割り当てる。【０００６】
基地局は、より高いＣＱＩをフィードバックした端末に優先的に通信リソースを割り当てる。このため、端末数が増大するほど、高いＣＱＩをフィードバックする端末数が増大するので、セルスループット（ピークデータレート、周波数利用効率）が改善することになる。ＣＱＩフィードバック方法には、Ｂｅｓｔ−Ｍ報告及びＤＣＴ（Discrete Cosine Transform）報告がある。【０００７】
図２にＢｅｓｔ−Ｍ報告の概要を示す。Ｂｅｓｔ−Ｍ報告では、送信帯域全体（ＮＲＢ）の平均ＣＱＩ（Ｘビットで表現）、ＣＱＩレベルの高い上位Ｍ個のＲＢを選択し、選択したＲＢに対応するＣＱＩ（各ＲＢのＣＱＩをＹビットで表現）及び選択したＲＢの位置（ｌｏｇ２（ＮＲＢＣＭ）ビットで表現）をフィードバックする。これにより、合計Ｘ＋ＹＭ＋ｌｏｇ２（ＮＲＢＣＭ）ビットをフィードバックする。なお、上位Ｍ個のＣＱＩの量子化ビット数Ｙは平均ＣＱＩからの差分値で表現する。【０００８】
図３にＢｅｓｔ−Ｍ報告によるＣＱＩフィードバックフォーマットを示す。ここでは、Ｘ＝５ビット、Ｙ＝３ビット、Ｍ＝５の場合を示している。基地局は、Ｂｅｓｔ−Ｍ報告によるフィードバック情報を復調し、ＲＢ毎のＳＩＮＲを再生する。【０００９】
図４にＤＣＴ報告の概要を示す。ＤＣＴ報告では、ＲＢ毎のＳＩＮＲをＤＣＴ変換した結果の中から、直流（ＤＣ）成分（Ｘビットで表現）、周波数成分の低いＭ個の周波数成分（周波数当たりＹビットで表現）をフィードバックする。これにより、合計Ｘ＋ＭＹビットをフィードバックする。なお、ＤＣＴ報告では、周波数が低い方から順にＭ個の周波数成分をフィードバックするため、Ｂｅｓｔ−Ｍ報告のように位置情報をフィードバックする必要はない。【００１０】
図５にＤＣＴ報告によるＣＱＩフィードバックフォーマットを示す。ここでは、Ｘ＝５ビット、Ｙ＝５ビット、Ｍ＝４の場合を示している。基地局は、ＤＣＴ報告によるフィードバック情報をＩＤＣＴ（Inverse Discrete Cosine Transform）変換し、ＲＢ毎のＳＩＮＲを再生する。【００１１】
ここで、上述したＭＩＭＯ通信においては、ＣＱＩをフィードバックする場合、品質の指標として第ｋストリームのＳＩＮＲｋを利用し、Ｂｅｓｔ−Ｍ報告の場合にはストリーム毎にＳＩＮＲをＣＱＩ変換し、ＤＣＴ報告の場合にはストリーム毎にＳＩＮＲをＤＣＴ変換する。また、上述した固有モード送信においては、ＣＱＩをフィードバックする場合、品質の指標としてＳＩＮＲｋの代わりに固有値λｋを利用し、Ｂｅｓｔ−Ｍ報告の場合には固有値λｋをＣＱＩ変換し、ＤＣＴ報告の場合には固有値λｋをＤＣＴ変換する。
【非特許文献１】3GPP, R1-062954, LG Electronics, “Analysis on DCT based CQI reporting Scheme”, RAN1#46-bis, Seoul, October 9-13, 2006
【発明の開示】
【発明が解決しようとする課題】
【００１２】
しかしながら、ＭＩＭＯチャネルでは、ＳＩＭＯ（Single-Input Multiple-Output）チャネルと同じＣＱＩフィードバックフォーマットを各ストリームに適用するため、図６に示すように、ＣＱＩフィードバック数がＭＩＭＯチャネルのストリーム数に比例して増大してしまう。【００１３】
本発明の目的は、ＭＩＭＯチャネルにおけるＣＱＩフィードバック量を削減する無線受信装置及びフィードバック方法を提供することである。
【課題を解決するための手段】
【００１４】
本発明の無線受信装置は、複数のアンテナから送信された信号を複数のアンテナを介して受信する受信手段と、受信した前記信号のうち、パイロット信号を用いて送信アンテナ及び受信アンテナ間のチャネル行列を推定し、推定したチャネル行列を固有値分解して固有値を求めるチャネル推定手段と、前記固有値を固有値番号毎にＣＱＩに変換し、各ストリームにおける平均ＣＱＩの量子化ビット数、フィードバックする上位ＣＱＩ数、上位ＣＱＩの量子化ビット数のいずれかを固有値番号に応じた数で削減して、ＣＱＩのフィードバック情報を生成するフィードバック情報生成手段と、前記フィードバック情報を送信する送信手段と、を具備する構成を採る。【００１５】
本発明の無線受信装置は、複数のアンテナから送信された信号を複数のアンテナを介して受信する受信手段と、受信した前記信号のうち、パイロット信号を用いて送信アンテナ及び受信アンテナ間のチャネル行列を推定し、推定したチャネル行列を固有値分解して固有値を求めるチャネル推定手段と、前記固有値を固有値番号毎にＤＣＴ変換し、各ストリームにおけるＤＣ成分の量子化ビット数、ＤＣ成分以外の周波数成分数、ＤＣ成分以外の周波数成分の量子化ビット数のいずれかを固有値番号に応じた数で削減して、ＣＱＩのフィードバック情報を生成するフィードバック情報生成手段と、前記フィードバック情報を送信する送信手段と、を具備する構成を採る。【００１６】
本発明のフィードバック方法は、複数の送信アンテナ及び複数の受信アンテナ間のチャネル行列を推定し、推定したチャネル行列を固有値分解して固有値を求めるチャネル推定工程と、前記固有値を固有値番号毎にＣＱＩに変換し、各ストリームにおける平均ＣＱＩの量子化ビット数、フィードバックする上位ＣＱＩ数、ＣＱＩの量子化ビット数のいずれかを固有値番号に応じた数で削減して、ＣＱＩのフィードバック情報を生成するフィードバック情報生成工程と、前記フィードバック情報を送信する送信工程と、を具備するようにした。
【発明の効果】
【００１７】
本発明によれば、ＭＩＭＯチャネルにおけるＣＱＩフィードバック量を削減することができる。
【図面の簡単な説明】
【００１８】
【図１】固有モード送信を示す概念図
【図２】Ｂｅｓｔ−Ｍ報告の概要を示す図
【図３】Ｂｅｓｔ−Ｍ報告によるＣＱＩフィードバックフォーマットを示す図
【図４】ＤＣＴ報告の概要を示す図
【図５】ＤＣＴ報告によるＣＱＩフィードバックフォーマットを示す図
【図６】ＣＱＩフィードバック数がストリーム数に比例して増大する様子を示す図
【図７】本発明の実施の形態１に係る受信装置の構成を示すブロック図
【図８】本発明の実施の形態１に係るフィードバックビットテーブルを示す図
【図９】周波数領域における固有値の変動を示す図
【図１０】第１〜第４ストリームの固有値をＣＱＩ変換する様子を示す図
【図１１】本発明の実施の形態１に係る送信装置の構成を示すブロック図
【図１２】本発明の実施の形態２に係るフィードバックビットテーブルを示す図
【図１３】本発明の実施の形態３に係るフィードバックビットテーブルを示す図
【図１４】第１〜第４ストリームの固有値をＤＣＴ変換する様子を示す図
【図１５】本発明の実施の形態４に係るフィードバックビットテーブルを示す図
【図１６】本発明の実施の形態５に係るフィードバックビットテーブルを示す図
【図１７】本発明の実施の形態６に係るフィードバックビットテーブルを示す図
【図１８】本発明の実施の形態７に係るフィードバックビットテーブルを示す図
【図１９】本発明の実施の形態８に係るフィードバックビットテーブルを示す図
【図２０】本発明の実施の形態９に係るフィードバックビットテーブルを示す図
【発明を実施するための最良の形態】
【００１９】
以下、本発明の実施の形態について、図面を参照して詳細に説明する。【００２０】
（実施の形態１）
図７は、本発明の実施の形態１に係る受信装置の構成を示すブロック図である。ここでは、アンテナを４本として説明する。無線受信部１０２−１〜１０２−４は、対応するアンテナ１０１−１〜１０１−４を介して受信した信号をベースバンド信号にダウンコンバートし、受信信号のうちデータ信号をＭＩＭＯ復調部１０６に出力し、受信信号のうちパイロット信号をチャネル推定部１０３に出力する。【００２１】
チャネル推定部１０３は、無線受信部１０２−１〜１０２−４から出力されたパイロット信号を用いて、各送受信アンテナ間のＲＢ毎のチャネル行列を推定し、推定したチャネル行列を固有値分解して固有値と固有ベクトルを求める。求めた固有値と固有ベクトルは、送信ウェイトとしてフィードバック情報生成部１０４に出力され、固有ベクトルにチャネル行列を乗算した値は、受信ウェイトとしてＭＩＭＯ復調部１０６に出力される。なお、チャネル行列とは、送信アンテナ及び受信アンテナ間のチャネル利得の行列である。【００２２】
フィードバック情報生成部１０４は、固有値毎に送信するべき平均ＣＱＩの量子化ビット数及び各ＲＢにおけるＣＱＩの量子化ビット数を対応付けたフィードバックビットテーブルを備えている。フィードバック情報生成部１０４は、チャネル推定部１０３から出力された固有値をＲＢ毎に平均し、平均した固有値を固有値番号（ストリーム）毎にＣＱＩに変換する。フィードバック情報生成部１０４は、フィードバックビットテーブルに従った量子化ビット数で固有値毎のＣＱＩからフィードバック情報を生成し、無線送信部１０５に出力する。なお、フィードバック情報生成部１０４の詳細については後述する。【００２３】
無線送信部１０５は、フィードバック情報生成部１０４から出力されたフィードバック情報をアップコンバートし、アンテナ１０１−１〜１０１−４から送信する。【００２４】
ＭＩＭＯ復調部１０６は、無線受信部１０２−１〜１０２−４から出力されたデータ信号にチャネル推定部１０３から出力された受信ウェイトを乗算して、ストリームを分離する。分離したストリームはそれぞれデータ復調部１０７−１〜１０７−４に出力される。【００２５】
データ復調部１０７−１〜１０７−４は、ＭＩＭＯ復調部１０６から出力されたストリームを変調シンボルから軟判定ビットに変換し、データ復号部１０８−１〜１０８−４に出力する。データ復号部１０８−１〜１０８−４は、データ復調部１０７−１〜１０７−４から出力された軟判定ビットをチャネル復号し、送信データを復元する。【００２６】
次に、上述したフィードバック情報生成部１０４におけるフィードバック情報の生成について詳細に説明する。フィードバック情報生成部１０４は、図８に示すように、固有値番号ｋが大きいほど平均ＣＱＩの量子化ビット数Ｘｋを減少させるフィードバックビットテーブルを備えている。ここでは、固有値λ１の平均ＣＱＩを５ビット、固有値λ２の平均ＣＱＩを４ビット、固有値λ３の平均ＣＱＩを３ビット、固有値λ４の平均ＣＱＩを２ビットとしている。これは、図９に示すように、固有値番号ｋが大きいほど固有値の平均値（図中、平均固有値）が小さくなる、すなわち、平均ＣＱＩの値が小さくなるためである。なお、フィードバックするＣＱＩ数Ｍｋを５とし、上位Ｍｋ個のＣＱＩの量子化ビット数Ｙｋを３ビットとする。【００２７】
フィードバック情報生成部１０４では、図１０Ａ〜Ｄに示すように、ＲＢ毎に平均した固有値を固有値番号（ストリーム）毎にＣＱＩに変換し、フィードバックビットテーブルに従ったビット数で固有値毎のＣＱＩからフィードバック情報を生成する。【００２８】
このように、固有値番号ｋが大きいほど平均ＣＱＩの量子化ビット数Ｘｋを減少させることにより、フィードバックビット数を削減することができる。【００２９】
図１１は、本発明の実施の形態１に係る送信装置の構成を示すブロック図である。ここでは、アンテナを４本として説明する。無線受信部２０２は、受信装置からフィードバックされたフィードバック情報をアンテナ２０１−１〜２０１−４を介して受信し、受信したフィードバック情報をベースバンド信号にダウンコンバートし、フィードバック情報復調部２０３に出力する。【００３０】
フィードバック情報復調部２０３は、図７に示した受信装置のフィードバック情報生成部１０４が備えるフィードバックビットテーブルと同じフィードバックビットテーブルを備え、無線受信部２０２から出力されたフィードバック情報をフィードバックビットテーブルに基づいて復調し、送信ウェイトとＣＱＩ（チャネル符号化率及び変調レベル）を取得する。取得した送信ウェイトはＭＩＭＯ多重部２０６に出力され、チャネル符号化率は符号化部２０４−１〜２０４−４に出力され、変調レベルは変調部２０５−１〜２０５−４に出力される。なお、フィードバック情報復調部２０３の詳細については後述する。【００３１】
符号化部２０４−１〜２０４−４は、入力される各送信データをフィードバック情報復調部２０３から出力されたチャネル符号化率で符号化し、符号化データを変調部２０５−１〜２０５−４に出力する。変調部２０５−１〜２０５−４は、符号化部２０４−１〜２０４−４から出力された符号化データをフィードバック情報復調部２０３から出力された変調レベルで変調し、変調シンボルをＭＩＭＯ多重部２０６に出力する。【００３２】
ＭＩＭＯ多重部２０６は、変調部２０５−１〜２０５−４から出力された変調シンボルにフィードバック情報復調部２０３から出力された送信ウェイトを乗算し、送信ストリームに変換する。ＭＩＭＯ多重部２０６は、全ての送信ストリームを多重し、無線送信部２０７−１〜２０７−４に出力する。【００３３】
無線送信部２０７−１〜２０７−４は、ＭＩＭＯ多重部２０６から出力された送信ストリームをアップコンバートし、アンテナ２０１−１〜２０１−４から送信する。【００３４】
次に、上述したフィードバック情報復調部２０３におけるフィードバック情報の復調について詳細に説明する。フィードバック情報復調部２０３は、図８に示すフィードバックビットテーブルを備えている。【００３５】
各ストリームに割り当てられたＣＱＩフィードバックビット数が異なるため、フィードバック情報復調部２０３は、フィードバックビットテーブルを参照し、第ｋストリームの平均ＣＱＩの量子化ビット数Ｘｋ、フィードバックされるＣＱＩ数Ｍｋ、そのＣＱＩの量子化ビット数Ｙｋを取得する。フィードバック情報復調部２０３は、取得したＸｋ、Ｍｋ、Ｙｋに基づいて、フィードバック情報を復調し、送信ウェイトとＣＱＩ（チャネル符号化率及び変調レベル）を取得する。図８に示したフィードバックビットテーブルによれば、Ｘ１＝５、Ｘ２＝４、Ｘ３＝３、Ｘ４＝１、Ｍｋ＝５、Ｙｋ＝３である。【００３６】
このように実施の形態１によれば、Ｂｅｓｔ−Ｍ報告に基づくＣＱＩフィードバックを行う場合において、固有値番号が大きいほど平均ＣＱＩの量子化ビット数を減少させることにより、ＣＱＩフィードバック量を削減することができる。【００３７】
（実施の形態２）
本発明の実施の形態２に係る受信装置及び送信装置の構成は、一部の機能が異なるのみで実施の形態１の図７及び図１１に示した構成と同様であるので、図７及び図１１を援用し、重複する説明は省略する。【００３８】
本発明の実施の形態２に係るフィードバック情報生成部１０４及びフィードバック情報復調部２０３は、図１２に示すように、固有値番号ｋが小さいほどフィードバックするＣＱＩ数Ｍｋを減少させるフィードバックビットテーブルを備えている。ここでは、固有値λ１におけるフィードバックするＣＱＩ数Ｍ１を２、固有値λ２におけるフィードバックするＣＱＩ数Ｍ２を３、固有値λ３におけるフィードバックするＣＱＩ数Ｍ３を４、固有値λ４におけるフィードバックするＣＱＩ数Ｍ４を５としている。これは、図９に示すように、固有値番号ｋが小さいほど周波数領域の固有値の変動周期が長くなるためである。なお、平均ＣＱＩの量子化ビット数は５ビット、フィードバックするＣＱＩの量子化ビット数は３ビットとする。【００３９】
このように実施の形態２によれば、Ｂｅｓｔ−Ｍ報告に基づくＣＱＩフィードバックを行う場合において、固有値番号が小さいほどフィードバックするＣＱＩ数を減少させることにより、ＣＱＩフィードバック量を削減することができる。【００４０】
（実施の形態３）
本発明の実施の形態３に係る受信装置及び送信装置の構成は、一部の機能が異なるのみで実施の形態１の図７及び図１１に示した構成と同様であるので、図７及び図１１を援用し、重複する説明は省略する。【００４１】
本発明の実施の形態３に係るフィードバック情報生成部１０４及びフィードバック情報復調部２０３は、図１３に示すように、固有値番号ｋが大きいほどＣＱＩの量子化ビット数Ｙｋを減少させるフィードバックビットテーブルを備えている。ここでは、固有値λ１及び固有値λ２におけるフィードバックするＣＱＩの量子化ビット数Ｙ１、Ｙ２を３ビット、固有値λ３及び固有値λ４におけるフィードバックするＣＱＩの量子化ビット数Ｙ３、Ｙ４を２ビットとしている。これは、固有値番号ｋが大きいほどＣＱＩフィードバック精度がリンクアダプテーション精度に与える影響が小さいためである。なお、平均ＣＱＩの量子化ビット数は５ビット、フィードバックするＣＱＩ数は５とする。【００４２】
このように実施の形態３によれば、Ｂｅｓｔ−Ｍ報告に基づくＣＱＩフィードバックを行う場合において、固有値番号が大きいほどＣＱＩの量子化ビット数を減少させることにより、ＣＱＩフィードバック量を削減することができる。【００４３】
（実施の形態４）
本発明の実施の形態４に係る受信装置及び送信装置の構成は、一部の機能が異なるのみで実施の形態１の図７及び図１１に示した構成と同様であるので、図７及び図１１を援用し、重複する説明は省略する。【００４４】
本発明の実施の形態４に係るフィードバック情報生成部１０４は、チャネル推定部１０３から出力された固有値をＲＢ毎に平均し、図１４Ａ〜Ｄに示すように、ＲＢ毎に平均した固有値を固有値番号（ストリーム）毎にＤＣＴ変換する。フィードバック情報生成部１０４は、固有値毎に送信するべきＤＣ成分の量子化ビット数Ｘｋ、周波数成分数Ｍｋ及びその周波数成分の量子化ビット数Ｙｋを対応付けたフィードバックビットテーブルを備えている。フィードバック情報生成部１０４は、フィードバックビットテーブルに従って、固有値毎にＤＣＴ変換したＣＱＩのＤＣ成分及びＭｋ個の周波数成分からフィードバック情報を生成し、無線送信部１０５に出力する。【００４５】
フィードバック情報生成部１０４は、図１５に示すように、固有値番号ｋが大きいほどＣＱＩのＤＣ成分の量子化ビット数Ｘｋを減少させるフィードバックビットテーブルを備えている。ここでは、固有値λ１におけるＣＱＩのＤＣ成分の量子化ビット数Ｘ１を５ビット、固有値λ２におけるＣＱＩのＤＣ成分の量子化ビット数Ｘ２を４ビット、固有値λ３におけるＣＱＩのＤＣ成分の量子化ビット数Ｘ３を３ビット、固有値λ４におけるＣＱＩのＤＣ成分の量子化ビット数Ｘ４を２ビットとしている。これは、図９に示すように、固有値番号ｋが大きいほど固有値の平均値が小さくなる、すなわち、ＤＣ成分の値が小さくなるためである。なお、周波数成分数Ｍｋを４とし、周波数成分の量子化ビット数Ｙｋ
を５ビットとする。【００４６】
フィードバック情報生成部１０４は、図１５に示したフィードバックビットテーブルの周波数成分数Ｍｋ及び周波数成分の量子化ビット数Ｙｋに基づいて、ＤＣＴ変換したＣＱＩの周波数成分を量子化し、量子化したＤＣ成分と合わせてフィードバック情報を生成する。【００４７】
このように、固有値番号ｋが大きいほどＣＱＩのＤＣ成分の量子化ビット数Ｘｋを減少させることにより、フィードバックビット数を削減することができる。【００４８】
図１１におけるフィードバック情報復調部２０３は、図１５に示したフィードバックビットテーブルと同じフィードバックビットテーブルを備え、フィードバックビットテーブルに基づいて、無線受信部２０２から出力されたフィードバック情報をＩＤＣＴ変換して、ＲＢ毎の固有値を求める。フィードバック情報復調部２０３は、求めた固有値からチャネル符号化率及び変調レベルを決定し、チャネル符号化率を符号化部２０４−１〜２０４−４に出力し、変調レベルを変調部２０５−１〜２０５−４に出力する。【００４９】
このように実施の形態４によれば、ＤＣＴ報告に基づくＣＱＩフィードバックを行う場合において、固有値番号が大きいほどＣＱＩのＤＣ成分の量子化ビット数を減少させることにより、ＣＱＩフィードバック量を削減することができる。【００５０】
（実施の形態５）
本発明の実施の形態５に係る受信装置及び送信装置の構成は、一部の機能が異なるのみで実施の形態１の図７及び図１１に示した構成と同様であるので、図７及び図１１を援用し、重複する説明は省略する。【００５１】
本発明の実施の形態５に係るフィードバック情報生成部１０４及びフィードバック情報復調部２０３は、図１６に示すように、固有値番号ｋが小さいほどＤＣＴ変換したＣＱＩの周波数成分数Ｍｋを減少させるフィードバックビットテーブルを備えている。ここでは、固有値λ１における周波数成分数Ｍ１を０、固有値λ２における周波数成分数Ｍ２を２、固有値λ３における周波数成分数Ｍ３を３、固有値λ４における周波数成分数Ｍ４を４としている。これは、図９に示すように、固有値番号ｋが小さいほど周波数領域の固有値の変動周期が長くなるためである。なお、ＤＣ成分の量子化ビット数は５ビット、周波数成分の量子化ビット数は５ビットとする。【００５２】
このように実施の形態５によれば、ＤＣＴ報告に基づくＣＱＩフィードバックを行う場合において、固有値番号が小さいほどＤＣＴ変換したＣＱＩの周波数成分数を減少させることにより、ＣＱＩフィードバック量を削減することができる。【００５３】
（実施の形態６）
本発明の実施の形態６に係る受信装置及び送信装置の構成は、一部の機能が異なるのみで実施の形態１の図７及び図１１に示した構成と同様であるので、図７及び図１１を援用し、重複する説明は省略する。【００５４】
本発明の実施の形態６に係るフィードバック情報生成部１０４及びフィードバック情報復調部２０３は、図１７に示すように、固有値番号ｋが大きいほど周波数成分の量子化ビット数Ｙｋを減少させるフィードバックビットテーブルを備えている。ここでは、固有値λ１における周波数成分の量子化ビット数Ｙ１を５ビット、固有値λ２における周波数成分の量子化ビット数Ｙ２を４ビット、固有値λ３における周波数成分の量子化ビット数Ｙ３を３ビット、固有値λ４における周波数成分の量子化ビット数Ｙ４を２ビットとしている。これは、固有値番号ｋが大きいほどＣＱＩフィードバック精度がリンクアダプテーション精度に与える影響が小さいためである。なお、ＤＣ成分の量子化ビット数は５ビット、フィードバックする周波数成分数は４とする。【００５５】
このように実施の形態６によれば、ＤＣＴ報告に基づくＣＱＩフィードバックを行う場合において、固有値番号が大きいほど周波数成分の量子化ビット数を減少させることにより、ＣＱＩフィードバック量を削減することができる。【００５６】
（実施の形態７）
本発明の実施の形態７に係る受信装置及び送信装置の構成は、一部の機能が異なるのみで実施の形態１の図７及び図１１に示した構成と同様であるので、図７及び図１１を援用し、重複する説明は省略する。【００５７】
本発明の実施の形態７に係るフィードバック情報生成部１０４及びフィードバック情報復調部２０３は、図１８に示すように、ＤＣＴ変換したＣＱＩの周波数成分番号ｎが大きいほど周波数成分の量子化ビット数Ｙｋを減少させ、かつ、固有値番号ｋが小さいほど第１周波数成分（図中第１成分と表示）に対して、その他の周波数成分の量子化ビット数Ｙｋを減少させる間隔を大きくするフィードバックビットテーブルを備えている。【００５８】
ここでは、固有値λ１における第１周波数成分の量子化ビット数Ｙ１を５ビット、第２周波数成分の量子化ビット数Ｙ２を４ビット、第３周波数成分の量子化ビット数Ｙ３を３ビット、第４周波数成分の量子化ビット数Ｙ４を２ビットとしている。また、固有値λ２における第１及び第２周波数成分の量子化ビット数Ｙ２を４ビット、第３及び第４周波数成分の量子化ビット数Ｙ２を３ビットとしている。また、固有値λ３における第１及び第２周波数成分の量子化ビット数Ｙ３を３ビット、第３及び第４周波数成分の量子化ビット数Ｙ３を２ビットとしている。さらに、固有値λ４における第１〜第４周波数成分の量子化ビット数Ｙ４を全て２ビットとしている。なお、ＤＣ成分の量子化ビット数は５ビット、フィードバックする周波数成分数は４とする。【００５９】
このように、ＤＣＴ変換したＣＱＩの周波数成分番号ｎが大きいほど周波数成分の量子化ビット数Ｙｋを減少させる理由は、周波数成分番号ｎが大きいほどＣＱＩフィードバック精度に与える影響が小さいためである。また、固有値番号ｋが小さいほど第１周波数成分（図中第１成分と表示）に対して、その他の周波数成分の量子化ビット数Ｙｋを減少させる間隔を大きくする理由は、固有値番号ｋが小さいほど固有値の周波数選択性が緩慢になり、電力がＤＣＴの低周波成分に偏るためである。【００６０】
このように実施の形態７によれば、ＤＣＴ報告に基づくＣＱＩフィードバックを行う場合において、ＤＣＴ変換したＣＱＩの周波数成分番号が大きいほど周波数成分の量子化ビット数を減少させ、かつ、固有値番号が小さいほど第１周波数成分に対するその他の周波数成分の量子化ビット数を減少させる間隔を大きくすることにより、ＣＱＩフィードバック量をより削減することができる。【００６１】
（実施の形態８）
本発明の実施の形態８に係る受信装置及び送信装置の構成は、一部の機能が異なるのみで実施の形態１の図７及び図１１に示した構成と同様であるので、図７及び図１１を援用し、重複する説明は省略する。【００６２】
本発明の実施の形態８に係るフィードバック情報生成部１０４及びフィードバック情報復調部２０３は、図１９に示すように、固有値番号ｋが大きいほど平均ＣＱＩの量子化ビット数Ｘｋ及びＣＱＩの量子化ビット数Ｙｋを減少させるフィードバックビットテーブルを備えている。ここでは、固有値λ１の平均ＣＱＩを５ビット、固有値λ２の平均ＣＱＩを４ビット、固有値λ１及び固有値λ２におけるフィードバックするＣＱＩの量子化ビット数Ｙ１、Ｙ２を３ビットとする。また、固有値λ３の平均ＣＱＩを３ビット、固有値λ４の平均ＣＱＩを２ビット、固有値λ３及び固有値λ４におけるフィードバックするＣＱＩの量子化ビット数Ｙ３、Ｙ４を２ビットとしている。【００６３】
このように実施の形態８によれば、Ｂｅｓｔ−Ｍ報告に基づくＣＱＩフィードバックを行う場合において、固有値番号が大きいほど平均ＣＱＩの量子化ビット数及びＣＱＩの量子化ビット数を減少させることにより、ＣＱＩフィードバック量をより削減することができる。【００６４】
（実施の形態９）
本発明の実施の形態９に係る受信装置及び送信装置の構成は、一部の機能が異なるのみで実施の形態１の図７及び図１１に示した構成と同様であるので、図７及び図１１を援用し、重複する説明は省略する。【００６５】
本発明の実施の形態９に係るフィードバック情報生成部１０４及びフィードバック情報復調部２０３は、図２０に示すように、固有値番号ｋが大きいほどＣＱＩのＤＣ成分の量子化ビット数Ｘｋ、周波数成分の量子化ビット数Ｙｋ、第１周波数成分（図中第１成分と表示）の量子化ビット数Ｙｋを減少させ、かつ、ＤＣＴ変換したＣＱＩの周波数成分番号ｎが大きいほど周波数成分の量子化ビット数Ｙｋを減少させるフィードバックビットテーブルを備えている。【００６６】
ここでは、固有値λ１におけるＤＣ成分の量子化ビット数を５ビット、第１周波数成分の量子化ビット数Ｙ１を５ビット、第２周波数成分の量子化ビット数Ｙ１を４ビット、第３周波数成分の量子化ビット数Ｙ１を３ビット、第４周波数成分の量子化ビット数Ｙ１を２ビットとしている。また、固有値λ２におけるＤＣ成分の量子化ビット数を４ビット、第１及び第２周波数成分の量子化ビット数Ｙ２を４ビット、第３及び第４周波数成分の量子化ビット数Ｙ２を３ビットとしている。また、固有値λ３におけるＤＣ成分の量子化ビット数を３ビット、第１及び第２周波数成分の量子化ビット数Ｙ３を３ビット、第３及び第４周波数成分の量子化ビット数Ｙ３を２ビットとしている。さらに、固有値λ４におけるＤＣ成分の量子化ビット数を２ビット、第１〜第４周波数成分の量子化ビット数Ｙ４を全て２ビットとしている。なお、フィードバックする周波数成分数は４とする。【００６７】
このように実施の形態９によれば、ＤＣＴ報告に基づくＣＱＩフィードバックを行う場合において、固有値番号が大きいほどＣＱＩのＤＣ成分の量子化ビット数、周波数成分の量子化ビット数を減少させ、ＤＣＴ変換したＣＱＩの周波数成分番号が大きいほど周波数成分の量子化ビット数を減少させ、かつ、固有値番号が小さいほど、第１周波数成分に対して、その他の周波数成分の量子化ビット数を減少させる間隔を大きくすることにより、ＣＱＩフィードバック量をより削減することができる。【００６８】
上記各実施の形態では、本発明をハードウェアで構成する場合を例にとって説明したが、本発明はソフトウェアで実現することも可能である。【００６９】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【００７０】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。【００７１】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。【００７２】
２００８年３月６日出願の特願２００８−０５６５５５の日本出願に含まれる明細書、図面及び要約書の開示内容は、すべて本願に援用される。
【産業上の利用可能性】
【００７３】
本発明にかかる無線受信装置及びフィードバック方法は、ＭＩＭＯチャネルにおけるＣＱＩフィードバック量を削減することができ、例えば、移動通信システム等に適用できる。
【図１】
2009110240.tif 000004
【図２】
2009110240.tif 000005
【図３】
2009110240.tif 000006
【図４】
2009110240.tif 000007
【図５】
2009110240.tif 000008
【図６】
2009110240.tif 000009
【図７】
2009110240.tif 000010
【図８】
2009110240.tif 000011
【図９】
2009110240.tif 000012
【図１０】
2009110240.tif 000013
【図１１】
2009110240.tif 000014
【図１２】
2009110240.tif 000015
【図１３】
2009110240.tif 000016
【図１４】
2009110240.tif 000017
【図１５】
2009110240.tif 000018
【図１６】
2009110240.tif 000019
【図１７】
2009110240.tif 000020
【図１８】
2009110240.tif 000021
【図１９】
2009110240.tif 000022
【図２０】
2009110240.tif 000023
【手続補正書】
【提出日】平成22年7月5日(2010.7.5)
【手続補正１】
【補正対象書類名】特許請求の範囲
【補正対象項目名】全文
【補正方法】変更
【補正の内容】
【特許請求の範囲】
【請求項１】
複数のアンテナから送信された信号を複数のアンテナを介して受信する受信手段と、
受信した前記信号のうち、パイロット信号を用いて送信アンテナ及び受信アンテナ間のチャネル行列を推定し、推定したチャネル行列を固有値分解して固有値を求めるチャネル推定手段と、
前記固有値を固有値番号毎にＣＱＩに変換し、各ストリームにおける平均ＣＱＩの量子化ビット数、フィードバックする上位ＣＱＩ数、上位ＣＱＩの量子化ビット数のいずれかを固有値番号に応じた数で削減して、ＣＱＩのフィードバック情報を生成するフィードバック情報生成手段と、
前記フィードバック情報を送信する送信手段と、
を具備する無線受信装置。
【請求項２】
前記フィードバック情報生成手段は、固有値番号が大きいほど、平均ＣＱＩの量子化ビット数をより多く削減して、ＣＱＩのフィードバック情報を生成する請求項１に記載の無線受信装置。
【請求項３】
前記フィードバック情報生成手段は、固有値番号が小さいほど、フィードバックする上位ＣＱＩ数をより多く削減して、ＣＱＩのフィードバック情報を生成する請求項１に記載の無線受信装置。
【請求項４】
前記フィードバック情報生成手段は、固有値番号が大きいほど、上位ＣＱＩの量子化ビット数をより多く削減して、ＣＱＩのフィードバック情報を生成する請求項１に記載の無線受信装置。
【請求項５】
複数のアンテナから送信された信号を複数のアンテナを介して受信する受信手段と、
受信した前記信号のうち、パイロット信号を用いて送信アンテナ及び受信アンテナ間のチャネル行列を推定し、推定したチャネル行列を固有値分解して固有値を求めるチャネル推定手段と、
前記固有値を固有値番号毎にＤＣＴ変換し、各ストリームにおけるＤＣ成分の量子化ビット数、ＤＣ成分以外の周波数成分数、ＤＣ成分以外の周波数成分の量子化ビット数のいずれかを固有値番号に応じた数で削減して、ＣＱＩのフィードバック情報を生成するフィードバック情報生成手段と、
前記フィードバック情報を送信する送信手段と、
を具備する無線受信装置。
【請求項６】
前記フィードバック情報生成手段は、固有値番号が大きいほど、ＤＣ成分の量子化ビット数をより多く削減して、ＣＱＩのフィードバック情報を生成する請求項５に記載の無線受信装置。
【請求項７】
前記フィードバック情報生成手段は、固有値番号が小さいほど、ＤＣ成分以外の周波数成分数をより多く削減して、ＣＱＩのフィードバック情報を生成する請求項５に記載の無線受信装置。
【請求項８】
前記フィードバック情報生成手段は、固有値番号が大きいほど、ＤＣ成分以外の周波数成分の量子化ビット数をより多く削減して、ＣＱＩのフィードバック情報を生成する請求項５に記載の無線受信装置。
【請求項９】
前記フィードバック情報生成手段は、周波数成分が高いほど、周波数成分の量子化ビット数をより多く削減して、ＣＱＩのフィードバック情報を生成する請求項５に記載の無線
受信装置。
【請求項１０】
前記フィードバック情報生成手段は、固有値番号が小さいほど、ＤＣ成分以外で最も低い周波数成分の量子化ビット数の減少幅を大きくして、ＣＱＩのフィードバック情報を生成する請求項９に記載の無線受信装置。
【請求項１１】
複数の送信アンテナ及び複数の受信アンテナ間のチャネル行列を推定し、推定したチャネル行列を固有値分解して固有値を求めるチャネル推定工程と、
前記固有値を固有値番号毎にＣＱＩに変換し、各ストリームにおける平均ＣＱＩの量子化ビット数、フィードバックする上位ＣＱＩ数、ＣＱＩの量子化ビット数のいずれかを固有値番号に応じた数で削減して、ＣＱＩのフィードバック情報を生成するフィードバック情報生成工程と、
前記フィードバック情報を送信する送信工程と、
を具備するフィードバック方法。
【手続補正２】
【補正対象書類名】明細書
【補正対象項目名】全文
【補正方法】変更
【補正の内容】
【発明の詳細な説明】
【技術分野】
【０００１】
本発明は、無線受信装置及びフィードバック方法に関する。
【背景技術】
【０００２】
ＭＩＭＯ（Multiple-Input Multiple-Output）は、送信装置及び受信装置の双方がそれぞれ複数のアンテナを備え、高速かつ大容量な情報伝送を行う技術である。具体的には、複数のデータを同じ時間に同じ周波数を用いて伝送することができるので、高い伝送速度を実現することができる。
【０００３】
このＭＩＭＯ伝送方式には、固有モード送信と呼ばれる伝送方式が知られている。固有モード送信では、送受信装置間の伝搬路情報をチャネル推定により求め、求めた伝搬路情報（伝搬チャネル行列Ｈ）の相関行列ＨＨＨを固有値分解して、固有値Λと固有ベクトルＷを求める。この様子を式（１）に示す。そして、ＷＨＨを送信ウェイト、ＷＨを受信ウェイトとして利用することにより、固有値数分の並列伝送が可能になる。固有モード送信の概念図を図１に示す。
【数１】
2009110240.tif 000024
【０００４】
ここで、λｋは第ｋ固有値であり、λ１＞λ２＞λ３＞λ４という関係がある。第ｋストリームｓｋには送信ウェイトｗｋが割り当てられ、第ｋ固有値λｋのチャネルを使って送信する。そのため、固有値番号（ストリーム番号）ｋが小さいほど、高品質伝送を実現することができる。
【０００５】
ところで、３ＧＰＰ（3rd Generation Partnership Project） ＬＴＥ（Long Term Evolution）の下りリンクにおけるセルスループットを改善する技術として、周波数スケジューリング（マルチユーザスケジューリング）がある。各端末はＲＢ（Resource Block）毎のＳＩＮＲ（Signal to Interference and Noise Ratio）に基づいて決定されるＣＱＩ（Channel Quality Indicator）を基地局にフィードバックし、基地局はこれらのＣＱＩを使って各端末に通信リソースを割り当てる。
【０００６】
基地局は、より高いＣＱＩをフィードバックした端末に優先的に通信リソースを割り当てる。このため、端末数が増大するほど、高いＣＱＩをフィードバックする端末数が増大するので、セルスループット（ピークデータレート、周波数利用効率）が改善することになる。ＣＱＩフィードバック方法には、Ｂｅｓｔ−Ｍ報告及びＤＣＴ（Discrete Cosine Transform）報告がある。
【０００７】
図２にＢｅｓｔ−Ｍ報告の概要を示す。Ｂｅｓｔ−Ｍ報告では、送信帯域全体（ＮＲＢ）の平均ＣＱＩ（Ｘビットで表現）、ＣＱＩレベルの高い上位Ｍ個のＲＢを選択し、選択
したＲＢに対応するＣＱＩ（各ＲＢのＣＱＩをＹビットで表現）及び選択したＲＢの位置（ｌｏｇ２（ＮＲＢＣＭ）ビットで表現）をフィードバックする。これにより、合計Ｘ＋ＹＭ＋ｌｏｇ２（ＮＲＢＣＭ）ビットをフィードバックする。なお、上位Ｍ個のＣＱＩの量子化ビット数Ｙは平均ＣＱＩからの差分値で表現する。
【０００８】
図３にＢｅｓｔ−Ｍ報告によるＣＱＩフィードバックフォーマットを示す。ここでは、Ｘ＝５ビット、Ｙ＝３ビット、Ｍ＝５の場合を示している。基地局は、Ｂｅｓｔ−Ｍ報告によるフィードバック情報を復調し、ＲＢ毎のＳＩＮＲを再生する。
【０００９】
図４にＤＣＴ報告の概要を示す。ＤＣＴ報告では、ＲＢ毎のＳＩＮＲをＤＣＴ変換した結果の中から、直流（ＤＣ）成分（Ｘビットで表現）、周波数成分の低いＭ個の周波数成分（周波数当たりＹビットで表現）をフィードバックする。これにより、合計Ｘ＋ＭＹビットをフィードバックする。なお、ＤＣＴ報告では、周波数が低い方から順にＭ個の周波数成分をフィードバックするため、Ｂｅｓｔ−Ｍ報告のように位置情報をフィードバックする必要はない。
【００１０】
図５にＤＣＴ報告によるＣＱＩフィードバックフォーマットを示す。ここでは、Ｘ＝５ビット、Ｙ＝５ビット、Ｍ＝４の場合を示している。基地局は、ＤＣＴ報告によるフィードバック情報をＩＤＣＴ（Inverse Discrete Cosine Transform）変換し、ＲＢ毎のＳＩＮＲを再生する。
【００１１】
ここで、上述したＭＩＭＯ通信においては、ＣＱＩをフィードバックする場合、品質の指標として第ｋストリームのＳＩＮＲｋを利用し、Ｂｅｓｔ−Ｍ報告の場合にはストリーム毎にＳＩＮＲをＣＱＩ変換し、ＤＣＴ報告の場合にはストリーム毎にＳＩＮＲをＤＣＴ変換する。また、上述した固有モード送信においては、ＣＱＩをフィードバックする場合、品質の指標としてＳＩＮＲｋの代わりに固有値λｋを利用し、Ｂｅｓｔ−Ｍ報告の場合には固有値λｋをＣＱＩ変換し、ＤＣＴ報告の場合には固有値λｋをＤＣＴ変換する。
【非特許文献１】3GPP, R1-062954, LG Electronics, “Analysis on DCT based CQI reporting Scheme”, RAN1#46-bis, Seoul, October 9-13, 2006
【発明の開示】
【発明が解決しようとする課題】
【００１２】
しかしながら、ＭＩＭＯチャネルでは、ＳＩＭＯ（Single-Input Multiple-Output）チャネルと同じＣＱＩフィードバックフォーマットを各ストリームに適用するため、図６に示すように、ＣＱＩフィードバック数がＭＩＭＯチャネルのストリーム数に比例して増大してしまう。
【００１３】
本発明の目的は、ＭＩＭＯチャネルにおけるＣＱＩフィードバック量を削減する無線受信装置及びフィードバック方法を提供することである。
【課題を解決するための手段】
【００１４】
本発明の無線受信装置は、複数のアンテナから送信された信号を複数のアンテナを介して受信する受信手段と、受信した前記信号のうち、パイロット信号を用いて送信アンテナ及び受信アンテナ間のチャネル行列を推定し、推定したチャネル行列を固有値分解して固有値を求めるチャネル推定手段と、前記固有値を固有値番号毎にＣＱＩに変換し、各ストリームにおける平均ＣＱＩの量子化ビット数、フィードバックする上位ＣＱＩ数、上位ＣＱＩの量子化ビット数のいずれかを固有値番号に応じた数で削減して、ＣＱＩのフィードバック情報を生成するフィードバック情報生成手段と、前記フィードバック情報を送信する送信手段と、を具備する構成を採る。
【００１５】
本発明の無線受信装置は、複数のアンテナから送信された信号を複数のアンテナを介して受信する受信手段と、受信した前記信号のうち、パイロット信号を用いて送信アンテナ及び受信アンテナ間のチャネル行列を推定し、推定したチャネル行列を固有値分解して固有値を求めるチャネル推定手段と、前記固有値を固有値番号毎にＤＣＴ変換し、各ストリームにおけるＤＣ成分の量子化ビット数、ＤＣ成分以外の周波数成分数、ＤＣ成分以外の周波数成分の量子化ビット数のいずれかを固有値番号に応じた数で削減して、ＣＱＩのフィードバック情報を生成するフィードバック情報生成手段と、前記フィードバック情報を送信する送信手段と、を具備する構成を採る。
【００１６】
本発明のフィードバック方法は、複数の送信アンテナ及び複数の受信アンテナ間のチャネル行列を推定し、推定したチャネル行列を固有値分解して固有値を求めるチャネル推定工程と、前記固有値を固有値番号毎にＣＱＩに変換し、各ストリームにおける平均ＣＱＩの量子化ビット数、フィードバックする上位ＣＱＩ数、ＣＱＩの量子化ビット数のいずれかを固有値番号に応じた数で削減して、ＣＱＩのフィードバック情報を生成するフィードバック情報生成工程と、前記フィードバック情報を送信する送信工程と、を具備するようにした。
【発明の効果】
【００１７】
本発明によれば、ＭＩＭＯチャネルにおけるＣＱＩフィードバック量を削減することができる。
【発明を実施するための最良の形態】
【００１８】
以下、本発明の実施の形態について、図面を参照して詳細に説明する。
【００１９】
（実施の形態１）
図７は、本発明の実施の形態１に係る受信装置の構成を示すブロック図である。ここでは、アンテナを４本として説明する。無線受信部１０２−１〜１０２−４は、対応するアンテナ１０１−１〜１０１−４を介して受信した信号をベースバンド信号にダウンコンバ
ートし、受信信号のうちデータ信号をＭＩＭＯ復調部１０６に出力し、受信信号のうちパイロット信号をチャネル推定部１０３に出力する。
【００２０】
チャネル推定部１０３は、無線受信部１０２−１〜１０２−４から出力されたパイロット信号を用いて、各送受信アンテナ間のＲＢ毎のチャネル行列を推定し、推定したチャネル行列を固有値分解して固有値と固有ベクトルを求める。求めた固有値と固有ベクトルは、送信ウェイトとしてフィードバック情報生成部１０４に出力され、固有ベクトルにチャネル行列を乗算した値は、受信ウェイトとしてＭＩＭＯ復調部１０６に出力される。なお、チャネル行列とは、送信アンテナ及び受信アンテナ間のチャネル利得の行列である。
【００２１】
フィードバック情報生成部１０４は、固有値毎に送信するべき平均ＣＱＩの量子化ビット数及び各ＲＢにおけるＣＱＩの量子化ビット数を対応付けたフィードバックビットテーブルを備えている。フィードバック情報生成部１０４は、チャネル推定部１０３から出力された固有値をＲＢ毎に平均し、平均した固有値を固有値番号（ストリーム）毎にＣＱＩに変換する。フィードバック情報生成部１０４は、フィードバックビットテーブルに従った量子化ビット数で固有値毎のＣＱＩからフィードバック情報を生成し、無線送信部１０５に出力する。なお、フィードバック情報生成部１０４の詳細については後述する。
【００２２】
無線送信部１０５は、フィードバック情報生成部１０４から出力されたフィードバック情報をアップコンバートし、アンテナ１０１−１〜１０１−４から送信する。
【００２３】
ＭＩＭＯ復調部１０６は、無線受信部１０２−１〜１０２−４から出力されたデータ信号にチャネル推定部１０３から出力された受信ウェイトを乗算して、ストリームを分離する。分離したストリームはそれぞれデータ復調部１０７−１〜１０７−４に出力される。
【００２４】
データ復調部１０７−１〜１０７−４は、ＭＩＭＯ復調部１０６から出力されたストリームを変調シンボルから軟判定ビットに変換し、データ復号部１０８−１〜１０８−４に出力する。データ復号部１０８−１〜１０８−４は、データ復調部１０７−１〜１０７−４から出力された軟判定ビットをチャネル復号し、送信データを復元する。
【００２５】
次に、上述したフィードバック情報生成部１０４におけるフィードバック情報の生成について詳細に説明する。フィードバック情報生成部１０４は、図８に示すように、固有値番号ｋが大きいほど平均ＣＱＩの量子化ビット数Ｘｋを減少させるフィードバックビットテーブルを備えている。ここでは、固有値λ１の平均ＣＱＩを５ビット、固有値λ２の平均ＣＱＩを４ビット、固有値λ３の平均ＣＱＩを３ビット、固有値λ４の平均ＣＱＩを２ビットとしている。これは、図９に示すように、固有値番号ｋが大きいほど固有値の平均値（図中、平均固有値）が小さくなる、すなわち、平均ＣＱＩの値が小さくなるためである。なお、フィードバックするＣＱＩ数Ｍｋを５とし、上位Ｍｋ個のＣＱＩの量子化ビット数Ｙｋを３ビットとする。
【００２６】
フィードバック情報生成部１０４では、図１０Ａ〜Ｄに示すように、ＲＢ毎に平均した固有値を固有値番号（ストリーム）毎にＣＱＩに変換し、フィードバックビットテーブルに従ったビット数で固有値毎のＣＱＩからフィードバック情報を生成する。
【００２７】
このように、固有値番号ｋが大きいほど平均ＣＱＩの量子化ビット数Ｘｋを減少させることにより、フィードバックビット数を削減することができる。
【００２８】
図１１は、本発明の実施の形態１に係る送信装置の構成を示すブロック図である。ここでは、アンテナを４本として説明する。無線受信部２０２は、受信装置からフィードバックされたフィードバック情報をアンテナ２０１−１〜２０１−４を介して受信し、受信し
たフィードバック情報をベースバンド信号にダウンコンバートし、フィードバック情報復調部２０３に出力する。
【００２９】
フィードバック情報復調部２０３は、図７に示した受信装置のフィードバック情報生成部１０４が備えるフィードバックビットテーブルと同じフィードバックビットテーブルを備え、無線受信部２０２から出力されたフィードバック情報をフィードバックビットテーブルに基づいて復調し、送信ウェイトとＣＱＩ（チャネル符号化率及び変調レベル）を取得する。取得した送信ウェイトはＭＩＭＯ多重部２０６に出力され、チャネル符号化率は符号化部２０４−１〜２０４−４に出力され、変調レベルは変調部２０５−１〜２０５−４に出力される。なお、フィードバック情報復調部２０３の詳細については後述する。
【００３０】
符号化部２０４−１〜２０４−４は、入力される各送信データをフィードバック情報復調部２０３から出力されたチャネル符号化率で符号化し、符号化データを変調部２０５−１〜２０５−４に出力する。変調部２０５−１〜２０５−４は、符号化部２０４−１〜２０４−４から出力された符号化データをフィードバック情報復調部２０３から出力された変調レベルで変調し、変調シンボルをＭＩＭＯ多重部２０６に出力する。
【００３１】
ＭＩＭＯ多重部２０６は、変調部２０５−１〜２０５−４から出力された変調シンボルにフィードバック情報復調部２０３から出力された送信ウェイトを乗算し、送信ストリームに変換する。ＭＩＭＯ多重部２０６は、全ての送信ストリームを多重し、無線送信部２０７−１〜２０７−４に出力する。
【００３２】
無線送信部２０７−１〜２０７−４は、ＭＩＭＯ多重部２０６から出力された送信ストリームをアップコンバートし、アンテナ２０１−１〜２０１−４から送信する。
【００３３】
次に、上述したフィードバック情報復調部２０３におけるフィードバック情報の復調について詳細に説明する。フィードバック情報復調部２０３は、図８に示すフィードバックビットテーブルを備えている。
【００３４】
各ストリームに割り当てられたＣＱＩフィードバックビット数が異なるため、フィードバック情報復調部２０３は、フィードバックビットテーブルを参照し、第ｋストリームの平均ＣＱＩの量子化ビット数Ｘｋ、フィードバックされるＣＱＩ数Ｍｋ、そのＣＱＩの量子化ビット数Ｙｋを取得する。フィードバック情報復調部２０３は、取得したＸｋ、Ｍｋ、Ｙｋに基づいて、フィードバック情報を復調し、送信ウェイトとＣＱＩ（チャネル符号化率及び変調レベル）を取得する。図８に示したフィードバックビットテーブルによれば、Ｘ１＝５、Ｘ２＝４、Ｘ３＝３、Ｘ４＝１、Ｍｋ＝５、Ｙｋ＝３である。
【００３５】
このように実施の形態１によれば、Ｂｅｓｔ−Ｍ報告に基づくＣＱＩフィードバックを行う場合において、固有値番号が大きいほど平均ＣＱＩの量子化ビット数を減少させることにより、ＣＱＩフィードバック量を削減することができる。
【００３６】
（実施の形態２）
本発明の実施の形態２に係る受信装置及び送信装置の構成は、一部の機能が異なるのみで実施の形態１の図７及び図１１に示した構成と同様であるので、図７及び図１１を援用し、重複する説明は省略する。
【００３７】
本発明の実施の形態２に係るフィードバック情報生成部１０４及びフィードバック情報復調部２０３は、図１２に示すように、固有値番号ｋが小さいほどフィードバックするＣＱＩ数Ｍｋを減少させるフィードバックビットテーブルを備えている。ここでは、固有値λ１におけるフィードバックするＣＱＩ数Ｍ１を２、固有値λ２におけるフィードバック
するＣＱＩ数Ｍ２を３、固有値λ３におけるフィードバックするＣＱＩ数Ｍ３を４、固有値λ４におけるフィードバックするＣＱＩ数Ｍ４を５としている。これは、図９に示すように、固有値番号ｋが小さいほど周波数領域の固有値の変動周期が長くなるためである。なお、平均ＣＱＩの量子化ビット数は５ビット、フィードバックするＣＱＩの量子化ビット数は３ビットとする。
【００３８】
このように実施の形態２によれば、Ｂｅｓｔ−Ｍ報告に基づくＣＱＩフィードバックを行う場合において、固有値番号が小さいほどフィードバックするＣＱＩ数を減少させることにより、ＣＱＩフィードバック量を削減することができる。
【００３９】
（実施の形態３）
本発明の実施の形態３に係る受信装置及び送信装置の構成は、一部の機能が異なるのみで実施の形態１の図７及び図１１に示した構成と同様であるので、図７及び図１１を援用し、重複する説明は省略する。
【００４０】
本発明の実施の形態３に係るフィードバック情報生成部１０４及びフィードバック情報復調部２０３は、図１３に示すように、固有値番号ｋが大きいほどＣＱＩの量子化ビット数Ｙｋを減少させるフィードバックビットテーブルを備えている。ここでは、固有値λ１及び固有値λ２におけるフィードバックするＣＱＩの量子化ビット数Ｙ１、Ｙ２を３ビット、固有値λ３及び固有値λ４におけるフィードバックするＣＱＩの量子化ビット数Ｙ３、Ｙ４を２ビットとしている。これは、固有値番号ｋが大きいほどＣＱＩフィードバック精度がリンクアダプテーション精度に与える影響が小さいためである。なお、平均ＣＱＩの量子化ビット数は５ビット、フィードバックするＣＱＩ数は５とする。
【００４１】
このように実施の形態３によれば、Ｂｅｓｔ−Ｍ報告に基づくＣＱＩフィードバックを行う場合において、固有値番号が大きいほどＣＱＩの量子化ビット数を減少させることにより、ＣＱＩフィードバック量を削減することができる。
【００４２】
（実施の形態４）
本発明の実施の形態４に係る受信装置及び送信装置の構成は、一部の機能が異なるのみで実施の形態１の図７及び図１１に示した構成と同様であるので、図７及び図１１を援用し、重複する説明は省略する。
【００４３】
本発明の実施の形態４に係るフィードバック情報生成部１０４は、チャネル推定部１０３から出力された固有値をＲＢ毎に平均し、図１４Ａ〜Ｄに示すように、ＲＢ毎に平均した固有値を固有値番号（ストリーム）毎にＤＣＴ変換する。フィードバック情報生成部１０４は、固有値毎に送信するべきＤＣ成分の量子化ビット数Ｘｋ、周波数成分数Ｍｋ及びその周波数成分の量子化ビット数Ｙｋを対応付けたフィードバックビットテーブルを備えている。フィードバック情報生成部１０４は、フィードバックビットテーブルに従って、固有値毎にＤＣＴ変換したＣＱＩのＤＣ成分及びＭｋ個の周波数成分からフィードバック情報を生成し、無線送信部１０５に出力する。
【００４４】
フィードバック情報生成部１０４は、図１５に示すように、固有値番号ｋが大きいほどＣＱＩのＤＣ成分の量子化ビット数Ｘｋを減少させるフィードバックビットテーブルを備えている。ここでは、固有値λ１におけるＣＱＩのＤＣ成分の量子化ビット数Ｘ１を５ビット、固有値λ２におけるＣＱＩのＤＣ成分の量子化ビット数Ｘ２を４ビット、固有値λ３におけるＣＱＩのＤＣ成分の量子化ビット数Ｘ３を３ビット、固有値λ４におけるＣＱＩのＤＣ成分の量子化ビット数Ｘ４を２ビットとしている。これは、図９に示すように、固有値番号ｋが大きいほど固有値の平均値が小さくなる、すなわち、ＤＣ成分の値が小さくなるためである。なお、周波数成分数Ｍｋを４とし、周波数成分の量子化ビット数Ｙｋ
を５ビットとする。
【００４５】
フィードバック情報生成部１０４は、図１５に示したフィードバックビットテーブルの周波数成分数Ｍｋ及び周波数成分の量子化ビット数Ｙｋに基づいて、ＤＣＴ変換したＣＱＩの周波数成分を量子化し、量子化したＤＣ成分と合わせてフィードバック情報を生成する。
【００４６】
このように、固有値番号ｋが大きいほどＣＱＩのＤＣ成分の量子化ビット数Ｘｋを減少させることにより、フィードバックビット数を削減することができる。
【００４７】
図１１におけるフィードバック情報復調部２０３は、図１５に示したフィードバックビットテーブルと同じフィードバックビットテーブルを備え、フィードバックビットテーブルに基づいて、無線受信部２０２から出力されたフィードバック情報をＩＤＣＴ変換して、ＲＢ毎の固有値を求める。フィードバック情報復調部２０３は、求めた固有値からチャネル符号化率及び変調レベルを決定し、チャネル符号化率を符号化部２０４−１〜２０４−４に出力し、変調レベルを変調部２０５−１〜２０５−４に出力する。
【００４８】
このように実施の形態４によれば、ＤＣＴ報告に基づくＣＱＩフィードバックを行う場合において、固有値番号が大きいほどＣＱＩのＤＣ成分の量子化ビット数を減少させることにより、ＣＱＩフィードバック量を削減することができる。
【００４９】
（実施の形態５）
本発明の実施の形態５に係る受信装置及び送信装置の構成は、一部の機能が異なるのみで実施の形態１の図７及び図１１に示した構成と同様であるので、図７及び図１１を援用し、重複する説明は省略する。
【００５０】
本発明の実施の形態５に係るフィードバック情報生成部１０４及びフィードバック情報復調部２０３は、図１６に示すように、固有値番号ｋが小さいほどＤＣＴ変換したＣＱＩの周波数成分数Ｍｋを減少させるフィードバックビットテーブルを備えている。ここでは、固有値λ１における周波数成分数Ｍ１を０、固有値λ２における周波数成分数Ｍ２を２、固有値λ３における周波数成分数Ｍ３を３、固有値λ４における周波数成分数Ｍ４を４としている。これは、図９に示すように、固有値番号ｋが小さいほど周波数領域の固有値の変動周期が長くなるためである。なお、ＤＣ成分の量子化ビット数は５ビット、周波数成分の量子化ビット数は５ビットとする。
【００５１】
このように実施の形態５によれば、ＤＣＴ報告に基づくＣＱＩフィードバックを行う場合において、固有値番号が小さいほどＤＣＴ変換したＣＱＩの周波数成分数を減少させることにより、ＣＱＩフィードバック量を削減することができる。
【００５２】
（実施の形態６）
本発明の実施の形態６に係る受信装置及び送信装置の構成は、一部の機能が異なるのみで実施の形態１の図７及び図１１に示した構成と同様であるので、図７及び図１１を援用し、重複する説明は省略する。
【００５３】
本発明の実施の形態６に係るフィードバック情報生成部１０４及びフィードバック情報復調部２０３は、図１７に示すように、固有値番号ｋが大きいほど周波数成分の量子化ビット数Ｙｋを減少させるフィードバックビットテーブルを備えている。ここでは、固有値λ１における周波数成分の量子化ビット数Ｙ１を５ビット、固有値λ２における周波数成分の量子化ビット数Ｙ２を４ビット、固有値λ３における周波数成分の量子化ビット数Ｙ３を３ビット、固有値λ４における周波数成分の量子化ビット数Ｙ４を２ビットとしてい
る。これは、固有値番号ｋが大きいほどＣＱＩフィードバック精度がリンクアダプテーション精度に与える影響が小さいためである。なお、ＤＣ成分の量子化ビット数は５ビット、フィードバックする周波数成分数は４とする。
【００５４】
このように実施の形態６によれば、ＤＣＴ報告に基づくＣＱＩフィードバックを行う場合において、固有値番号が大きいほど周波数成分の量子化ビット数を減少させることにより、ＣＱＩフィードバック量を削減することができる。
【００５５】
（実施の形態７）
本発明の実施の形態７に係る受信装置及び送信装置の構成は、一部の機能が異なるのみで実施の形態１の図７及び図１１に示した構成と同様であるので、図７及び図１１を援用し、重複する説明は省略する。
【００５６】
本発明の実施の形態７に係るフィードバック情報生成部１０４及びフィードバック情報復調部２０３は、図１８に示すように、ＤＣＴ変換したＣＱＩの周波数成分番号ｎが大きいほど周波数成分の量子化ビット数Ｙｋを減少させ、かつ、固有値番号ｋが小さいほど第１周波数成分（図中第１成分と表示）に対して、その他の周波数成分の量子化ビット数Ｙｋを減少させる間隔を大きくするフィードバックビットテーブルを備えている。
【００５７】
ここでは、固有値λ１における第１周波数成分の量子化ビット数Ｙ１を５ビット、第２周波数成分の量子化ビット数Ｙ２を４ビット、第３周波数成分の量子化ビット数Ｙ３を３ビット、第４周波数成分の量子化ビット数Ｙ４を２ビットとしている。また、固有値λ２における第１及び第２周波数成分の量子化ビット数Ｙ２を４ビット、第３及び第４周波数成分の量子化ビット数Ｙ２を３ビットとしている。また、固有値λ３における第１及び第２周波数成分の量子化ビット数Ｙ３を３ビット、第３及び第４周波数成分の量子化ビット数Ｙ３を２ビットとしている。さらに、固有値λ４における第１〜第４周波数成分の量子化ビット数Ｙ４を全て２ビットとしている。なお、ＤＣ成分の量子化ビット数は５ビット、フィードバックする周波数成分数は４とする。
【００５８】
このように、ＤＣＴ変換したＣＱＩの周波数成分番号ｎが大きいほど周波数成分の量子化ビット数Ｙｋを減少させる理由は、周波数成分番号ｎが大きいほどＣＱＩフィードバック精度に与える影響が小さいためである。また、固有値番号ｋが小さいほど第１周波数成分（図中第１成分と表示）に対して、その他の周波数成分の量子化ビット数Ｙｋを減少させる間隔を大きくする理由は、固有値番号ｋが小さいほど固有値の周波数選択性が緩慢になり、電力がＤＣＴの低周波成分に偏るためである。
【００５９】
このように実施の形態７によれば、ＤＣＴ報告に基づくＣＱＩフィードバックを行う場合において、ＤＣＴ変換したＣＱＩの周波数成分番号が大きいほど周波数成分の量子化ビット数を減少させ、かつ、固有値番号が小さいほど第１周波数成分に対するその他の周波数成分の量子化ビット数を減少させる間隔を大きくすることにより、ＣＱＩフィードバック量をより削減することができる。
【００６０】
（実施の形態８）
本発明の実施の形態８に係る受信装置及び送信装置の構成は、一部の機能が異なるのみで実施の形態１の図７及び図１１に示した構成と同様であるので、図７及び図１１を援用し、重複する説明は省略する。
【００６１】
本発明の実施の形態８に係るフィードバック情報生成部１０４及びフィードバック情報復調部２０３は、図１９に示すように、固有値番号ｋが大きいほど平均ＣＱＩの量子化ビット数Ｘｋ及びＣＱＩの量子化ビット数Ｙｋを減少させるフィードバックビットテーブル
を備えている。ここでは、固有値λ１の平均ＣＱＩを５ビット、固有値λ２の平均ＣＱＩを４ビット、固有値λ１及び固有値λ２におけるフィードバックするＣＱＩの量子化ビット数Ｙ１、Ｙ２を３ビットとする。また、固有値λ３の平均ＣＱＩを３ビット、固有値λ４の平均ＣＱＩを２ビット、固有値λ３及び固有値λ４におけるフィードバックするＣＱＩの量子化ビット数Ｙ３、Ｙ４を２ビットとしている。
【００６２】
このように実施の形態８によれば、Ｂｅｓｔ−Ｍ報告に基づくＣＱＩフィードバックを行う場合において、固有値番号が大きいほど平均ＣＱＩの量子化ビット数及びＣＱＩの量子化ビット数を減少させることにより、ＣＱＩフィードバック量をより削減することができる。
【００６３】
（実施の形態９）
本発明の実施の形態９に係る受信装置及び送信装置の構成は、一部の機能が異なるのみで実施の形態１の図７及び図１１に示した構成と同様であるので、図７及び図１１を援用し、重複する説明は省略する。
【００６４】
本発明の実施の形態９に係るフィードバック情報生成部１０４及びフィードバック情報復調部２０３は、図２０に示すように、固有値番号ｋが大きいほどＣＱＩのＤＣ成分の量子化ビット数Ｘｋ、周波数成分の量子化ビット数Ｙｋ、第１周波数成分（図中第１成分と表示）の量子化ビット数Ｙｋを減少させ、かつ、ＤＣＴ変換したＣＱＩの周波数成分番号ｎが大きいほど周波数成分の量子化ビット数Ｙｋを減少させるフィードバックビットテーブルを備えている。
【００６５】
ここでは、固有値λ１におけるＤＣ成分の量子化ビット数を５ビット、第１周波数成分の量子化ビット数Ｙ１を５ビット、第２周波数成分の量子化ビット数Ｙ１を４ビット、第３周波数成分の量子化ビット数Ｙ１を３ビット、第４周波数成分の量子化ビット数Ｙ１を２ビットとしている。また、固有値λ２におけるＤＣ成分の量子化ビット数を４ビット、第１及び第２周波数成分の量子化ビット数Ｙ２を４ビット、第３及び第４周波数成分の量子化ビット数Ｙ２を３ビットとしている。また、固有値λ３におけるＤＣ成分の量子化ビット数を３ビット、第１及び第２周波数成分の量子化ビット数Ｙ３を３ビット、第３及び第４周波数成分の量子化ビット数Ｙ３を２ビットとしている。さらに、固有値λ４におけるＤＣ成分の量子化ビット数を２ビット、第１〜第４周波数成分の量子化ビット数Ｙ４を全て２ビットとしている。なお、フィードバックする周波数成分数は４とする。
【００６６】
このように実施の形態９によれば、ＤＣＴ報告に基づくＣＱＩフィードバックを行う場合において、固有値番号が大きいほどＣＱＩのＤＣ成分の量子化ビット数、周波数成分の量子化ビット数を減少させ、ＤＣＴ変換したＣＱＩの周波数成分番号が大きいほど周波数成分の量子化ビット数を減少させ、かつ、固有値番号が小さいほど、第１周波数成分に対して、その他の周波数成分の量子化ビット数を減少させる間隔を大きくすることにより、ＣＱＩフィードバック量をより削減することができる。
【００６７】
上記各実施の形態では、本発明をハードウェアで構成する場合を例にとって説明したが、本発明はソフトウェアで実現することも可能である。
【００６８】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００６９】
また、集積回路化の手法はＬＳＩに限るものではなく、専用回路又は汎用プロセッサで
実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００７０】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００７１】
２００８年３月６日出願の特願２００８−０５６５５５の日本出願に含まれる明細書、図面及び要約書の開示内容は、すべて本願に援用される。
【産業上の利用可能性】
【００７２】
本発明にかかる無線受信装置及びフィードバック方法は、ＭＩＭＯチャネルにおけるＣＱＩフィードバック量を削減することができ、例えば、移動通信システム等に適用できる。
【図面の簡単な説明】
【００７３】
【図１】固有モード送信を示す概念図
【図２】Ｂｅｓｔ−Ｍ報告の概要を示す図
【図３】Ｂｅｓｔ−Ｍ報告によるＣＱＩフィードバックフォーマットを示す図
【図４】ＤＣＴ報告の概要を示す図
【図５】ＤＣＴ報告によるＣＱＩフィードバックフォーマットを示す図
【図６】ＣＱＩフィードバック数がストリーム数に比例して増大する様子を示す図
【図７】本発明の実施の形態１に係る受信装置の構成を示すブロック図
【図８】本発明の実施の形態１に係るフィードバックビットテーブルを示す図
【図９】周波数領域における固有値の変動を示す図
【図１０】第１〜第４ストリームの固有値をＣＱＩ変換する様子を示す図
【図１１】本発明の実施の形態１に係る送信装置の構成を示すブロック図
【図１２】本発明の実施の形態２に係るフィードバックビットテーブルを示す図
【図１３】本発明の実施の形態３に係るフィードバックビットテーブルを示す図
【図１４】第１〜第４ストリームの固有値をＤＣＴ変換する様子を示す図
【図１５】本発明の実施の形態４に係るフィードバックビットテーブルを示す図
【図１６】本発明の実施の形態５に係るフィードバックビットテーブルを示す図
【図１７】本発明の実施の形態６に係るフィードバックビットテーブルを示す図
【図１８】本発明の実施の形態７に係るフィードバックビットテーブルを示す図
【図１９】本発明の実施の形態８に係るフィードバックビットテーブルを示す図
【図２０】本発明の実施の形態９に係るフィードバックビットテーブルを示す図
【手続補正３】
【補正対象書類名】図面
【補正対象項目名】全図
【補正方法】変更
【補正の内容】
【図１】
2009110240.tif 000025
【図２】
2009110240.tif 000026
【図３】
2009110240.tif 000027
【図４】
2009110240.tif 000028
【図５】
2009110240.tif 000029
【図６】
2009110240.tif 000030
【図７】
2009110240.tif 000031
【図８】
2009110240.tif 000032
【図９】
2009110240.tif 000033
【図１０】
2009110240.tif 000034
【図１１】
2009110240.tif 000035
【図１２】
2009110240.tif 000036
【図１３】
2009110240.tif 000037
【図１４】
2009110240.tif 000038
【図１５】
2009110240.tif 000039
【図１６】
2009110240.tif 000040
【図１７】
2009110240.tif 000041
【図１８】
2009110240.tif 000042
【図１９】
2009110240.tif 000043
【図２０】
2009110240.tif 000044
【国際調査報告】
2009110240.tif 000045
2009110240.tif 000046
2009110240.tif 000047